(57)【特許請求の範囲】
【請求項１】
出力媒体に色材を転移させる印刷に関する２以上の条件項目を組み合わせた印刷条件を設定する印刷条件設定装置であって、
前記色材の転移媒体に関する条件項目である媒体条件項目の内容を、所定の集約規則に従ってグループ化し、前記印刷条件にグループ属性を付与するグループ属性付与部と、
前記印刷の際の色変換条件に関する条件項目である色変換条件項目における設定状態を示す一覧画像を表示する表示部と、
前記表示部に表示される前記一覧画像を介したユーザの設定操作に応じて、前記グループ属性付与部により付与された前記グループ属性を備える複数の前記印刷条件に対して、前記色変換条件項目を一括して設定又は該設定の解除を行う条件設定部と
を有し、
前記表示部は、前記ユーザの切替操作に応じて、前記印刷条件及び前記グループ属性のうちいずれか一方の単位に切り替えて前記一覧画像を表示する
ことを特徴とする印刷条件設定装置。
【請求項２】
請求項１記載の印刷条件設定装置において、
前記表示部は、前記条件設定部による前記設定又は前記解除に応じて、前記印刷条件毎の前記設定状態を更新させた前記一覧画像を表示することを特徴とする印刷条件設定装置。
【請求項３】
請求項１又は２に記載の印刷条件設定装置において、
前記所定の集約規則は、前記印刷における色再現特性の近似度に関する規則であることを特徴とする印刷条件設定装置。
【請求項４】
請求項１〜３のいずれか１項に記載の印刷条件設定装置において、
前記転移媒体は前記出力媒体であり、
前記グループ属性付与部は、前記媒体条件項目の内容を前記出力媒体の種別に応じてグループ化し、前記印刷条件に前記グループ属性を付与する
ことを特徴とする印刷条件設定装置。
【請求項５】
請求項４記載の印刷条件設定装置において、
前記出力媒体の色情報を取得する色情報取得部をさらに有し、
前記グループ属性付与部は、前記色情報取得部により取得された前記色情報に基づいて、前記印刷条件に前記グループ属性を付与することを特徴とする印刷条件設定装置。
【請求項６】
請求項１〜３のいずれか１項に記載の印刷条件設定装置において、
前記転移媒体は刷版であり、
前記グループ属性付与部は、前記媒体条件項目の内容を前記刷版上に形成される網点の種別に応じてグループ化し、前記印刷条件に前記グループ属性を付与する
ことを特徴とする印刷条件設定装置。
【請求項７】
請求項１〜６のいずれか１項に記載の印刷条件設定装置において、
前記色変換条件項目には、ターゲットプロファイル、印刷プロファイル、デバイスリンクプロファイル、及びドットゲインカーブのうち少なくとも１つの種類が含まれることを特徴とする印刷条件設定装置。
【請求項８】
出力媒体に色材を転移させる印刷に関する２以上の条件項目を組み合わせた印刷条件を設定する印刷条件設定方法であって、
前記色材の転移媒体に関する条件項目である媒体条件項目の内容を、所定の集約規則に従ってグループ化し、前記印刷条件にグループ属性を付与する付与ステップと、
前記印刷の際の色変換条件に関する条件項目である色変換条件項目における設定状態を示す一覧画像を表示する表示ステップと、
表示される前記一覧画像を介したユーザの設定操作に応じて、付与された前記グループ属性を備える複数の前記印刷条件に対して、前記色変換条件項目を一括して設定又は該設定の解除を行う設定ステップと
をコンピュータに実行させ、
前記表示ステップでは、前記ユーザの切替操作に応じて、前記印刷条件及び前記グループ属性のうちいずれか一方の単位に切り替えて前記一覧画像を表示する
ことを特徴とする印刷条件設定方法。
【請求項９】
出力媒体に色材を転移させる印刷に関する２以上の条件項目を組み合わせた印刷条件を設定するためのプログラムであって、
前記色材の転移媒体に関する条件項目である媒体条件項目の内容を、所定の集約規則に従ってグループ化し、前記印刷条件にグループ属性を付与する付与ステップと、
前記印刷の際の色変換条件に関する条件項目である色変換条件項目における設定状態を示す一覧画像を表示する表示ステップと、
表示される前記一覧画像を介したユーザの設定操作に応じて、付与された前記グループ属性を備える複数の前記印刷条件に対して、前記色変換条件項目を一括して設定又は該設定の解除を行う設定ステップと
をコンピュータに実行させ、
前記表示ステップでは、前記ユーザの切替操作に応じて、前記印刷条件及び前記グループ属性のうちいずれか一方の単位に切り替えて前記一覧画像を表示する
ことを特徴とするプログラム。
【発明の詳細な説明】
【技術分野】
【０００１】
本発明は、出力媒体に色材を転移させる印刷に関する２以上の条件項目を組み合わせた印刷条件を設定する印刷条件設定装置、印刷条件設定方法及びプログラムに関する。
【背景技術】
【０００２】
近時、印刷分野において、ＤＴＰ（DeskTop Publishing）やＣＴＰ（Computer To Plate）の普及により、印刷工程のワークフローが全体的にデジタル化されている。例えば、制作会社から新たに依頼された発注内容が、過去に依頼された発注内容に類似する場合、過去に使用した印刷条件をそのまま採用しつつ、印刷ジョブを実行することが便宜である。そこで、作業者による検索操作により、選択可能な複数の印刷条件の中から所望の印刷条件を決定するユーザ・インターフェース技術が種々提案されている。
【０００３】
特許文献１には、既定の条件項目リストの中から所定の条件項目を検索し、検索された各条件項目に応じた設定画面を表示させる方法及びソフトウェアが提案されている。具体的には、選択された複数の条件項目についての各設定部を集約し、１つの設定画面に表示させる旨が記載されている。
【先行技術文献】
【特許文献】
【０００４】
【特許文献１】特開２００４−２０６５５３号公報
【発明の概要】
【発明が解決しようとする課題】
【０００５】
例えば、印刷会社内で新たな銘柄の用紙を導入する場合、作業者は、その度に印刷条件を新たに作成・設定する必要がある。特に、サプライ品（消耗品）としての用紙や刷版には、膨大な数の銘柄・種別が既に存在しており、その数が今後も増加し続けると考えられる。このように、サプライ品の銘柄・種別毎に印刷条件をそれぞれ設定しようとすると、作業者の煩に堪えなかった。
【０００６】
本発明は上記した問題を解決するためになされたもので、膨大な数の印刷条件に対して色変換条件を簡便に設定可能な印刷条件設定装置、印刷条件設定方法及びプログラムを提供することを目的とする。
【課題を解決するための手段】
【０００７】
本発明に係る印刷条件設定装置は、出力媒体に色材を転移させる印刷に関する２以上の条件項目を組み合わせた印刷条件を設定する装置であって、前記色材の転移媒体に関する条件項目である媒体条件項目の内容を、所定の集約規則に従ってグループ化し、前記印刷条件にグループ属性を付与するグループ属性付与部と、前記グループ属性付与部により付与された前記グループ属性を備える複数の前記印刷条件に対して、前記印刷の際の色変換条件に関する条件項目である色変換条件項目を一括して設定又はその解除を行う条件設定部とを有することを特徴とする。
【０００８】
このように、色材の転移媒体の条件項目である媒体条件項目の内容を所定の集約規則に従ってグループ化し、印刷条件にグループ属性を付与するグループ属性付与部と、前記グループ属性付与部により付与された前記グループ属性を備える複数の前記印刷条件に対して、印刷の際の色変換条件に関する条件項目である色変換条件項目を一括して設定又はその解除を行う条件設定部とを設けたので、媒体条件項目及び色変換条件項目を効率的に対応付け可能になり、膨大な数の印刷条件に対して色変換条件を簡便に設定できる。
【０００９】
また、前記所定の集約規則は、前記印刷における色再現特性の近似度に関する規則であることが好ましい。これにより、同じグループ属性を備える転移媒体であれば、印刷物上で略同等の色再現特性が得られる。
【００１０】
さらに、前記転移媒体は前記出力媒体であり、前記グループ属性付与部は、前記媒体条件項目の内容を前記出力媒体の種別に応じてグループ化し、前記印刷条件に前記グループ属性を付与することが好ましい。
【００１１】
さらに、前記出力媒体の色情報を取得する色情報取得部をさらに有し、前記グループ属性付与部は、前記色情報取得部により取得された前記色情報に基づいて、前記印刷条件に前記グループ属性を付与することが好ましい。
【００１２】
さらに、前記転移媒体は刷版であり、前記グループ属性付与部は、前記媒体条件項目の内容を前記刷版上に形成される網点の種別に応じてグループ化し、前記印刷条件に前記グループ属性を付与することが好ましい。
【００１３】
さらに、前記色変換条件項目には、ターゲットプロファイル、印刷プロファイル、デバイスリンクプロファイル、及びドットゲインカーブのうち少なくとも１つの種類が含まれることが好ましい。
【００１４】
本発明に係る印刷条件設定方法は、出力媒体に色材を転移させる印刷に関する２以上の条件項目を組み合わせた印刷条件を設定する方法であって、前記色材の転移媒体に関する条件項目である媒体条件項目の内容を、所定の集約規則に従ってグループ化し、前記印刷条件にグループ属性を付与するステップと、付与された前記グループ属性を備える複数の前記印刷条件に対して、前記印刷の際の色変換条件に関する条件項目である色変換条件項目を一括して設定又はその解除を行うステップとを備えることを特徴とする。
【００１５】
本発明に係るプログラムは、出力媒体に色材を転移させる印刷に関する２以上の条件項目を組み合わせた印刷条件を設定するためのプログラムであって、コンピュータを、前記色材の転移媒体に関する条件項目である媒体条件項目の内容を、所定の集約規則に従ってグループ化し、前記印刷条件にグループ属性を付与するグループ属性付与部、前記グループ属性付与部により付与された前記グループ属性を備える複数の前記印刷条件に対して、前記印刷の際の色変換条件に関する条件項目である色変換条件項目を一括して設定又はその解除を行う条件設定部として機能させることを特徴とする。
【発明の効果】
【００１６】
本発明に係る印刷条件設定装置、印刷条件設定方法及びプログラムによれば、色材の転移媒体の条件項目である媒体条件項目の内容を所定の集約規則に従ってグループ化し、印刷条件にグループ属性を付与し、前記グループ属性を備える複数の前記印刷条件に対して、印刷の際の色変換条件に関する条件項目である色変換条件項目を一括して設定又はその解除を行うようにしたので、媒体条件項目及び色変換条件項目を効率的に対応付け可能になり、膨大な数の印刷条件に対して色変換条件を簡便に設定できる。
【図面の簡単な説明】
【００１７】
【図１】本実施の形態に係る印刷条件設定装置としてのＲＩＰ装置を組み込んだ印刷物生産システムの概略構成図である。
【図２】図１に示すＲＩＰ装置の電気的なブロック図である。
【図３】図１及び図２に示すＲＩＰ装置の動作説明に供されるフローチャートである。
【図４】印刷条件データベースの一覧表を示す概略説明図である。
【図５】登録画面の一例を表す画像図である。
【図６】設定画面の一例を表す第１画像図である。
【図７】設定画面の一例を表す第２画像図である。
【図８】設定画面の一例を表す第３画像図である。
【図９】設定画面の一例を表す第４画像図である。
【図１０】色変換条件が設定された後の設定画面を表す画像図である。
【図１１】グループ属性の別の付与方法を示す概略説明図である。
【発明を実施するための形態】
【００１８】
以下、本発明に係る印刷条件設定方法について、これを実施する印刷条件設定装置、プログラム及び印刷物生産システムとの関係において好適な実施形態を挙げ、添付の図面を参照して説明する。
【００１９】
図１は、本実施の形態に係る印刷条件設定装置としてのＲＩＰ装置２０を組み込んだ印刷物生産システム１０の概略構成図である。
【００２０】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したコンテンツデータの編集等を含むＤＴＰ（Desktop Publishing）処理を行うためのＤＴＰ装置１８と、ＤＴＰ装置１８により作成された校正データ又は製版データに基づいてラスタライズ処理や色変換処理等の各画像処理を実行するＲＩＰ装置２０（印刷条件設定装置）と、ＲＩＰ装置２０から送信された処理済みの校正データに基づいてプルーフ２２を印刷可能である校正機２４と、ＲＩＰ装置２０から送信された製版データに基づいて刷版２６を作製するプレートセッタ２８と、刷版２６を装着して印刷物３０を印刷可能であるオフセット印刷機３２とがそれぞれ設けられている。
【００２１】
サーバ装置１６は、印刷物生産システム１０におけるワークフロー管理の中核をなす装置である。サーバ装置１６は、ルータ１４及びネットワーク１２を介して、デザイナ及び／又は制作会社（図示しない。）が備える各端末装置に通信可能に接続されている。また、サーバ装置１６は、印刷物生産システム１０内に構築されたＬＡＮ（Local Area Network）３４を介して、ＤＴＰ装置１８、ＲＩＰ装置２０及びプレートセッタ２８に通信可能に接続されている。
【００２２】
すなわち、サーバ装置１６は、各種データファイルの格納・転送を司るファイルサーバとしての機能、各端末装置、各ユーザ、又は各印刷ジョブにおいて実行可能なタスク権限を管理する権限管理サーバとしての機能、又は、各工程の開始・終了等の所定のタイミングで通知メールを生成・配信するメールサーバとしての機能をそれぞれ実行可能に構成されている。なお、ファイルサーバとして管理可能な各種データファイルには、例えば、コンテンツデータ、校正データ、製版データ、ジョブチケット｛例えば、ＪＤＦ（Job Definition Format）ファイル｝、ＩＣＣ（International Color Consortium）プロファイル、色見本データ、過去に使用された印刷条件の履歴情報（以下、印刷条件データベースという。）等が含まれる。
【００２３】
ＤＴＰ装置１８は、文字、図形、絵柄や写真等から構成されるコンテンツデータに対してプリフライト処理を施した後、ページ単位の編集データを作成する。また、ＤＴＰ装置１８は、ジョブチケットのタグ情報を参照しながら、指定された綴じ方法や紙折り方法に応じた面付け処理を行う。
【００２４】
ＲＩＰ装置２０は、少なくとも１つの印刷機に対する印刷処理サーバとして機能する。図１例では、ＲＩＰ装置２０は、校正機２４と、プレートセッタ２８とに通信可能に接続されている。この場合、ＲＩＰ装置２０は、ページ記述言語で記述された校了データ（校了データを含む。）に対してラスタライズ処理を施して、得られた印刷データを校正機２４（又はプレートセッタ２８）に供給する。このラスタライズ処理には、ＰＤＬ（Page Description Language）形式からラスタ形式に変換するデータ形式変換処理と、ＩＣＣプロファイルを用いたカラーマッチング処理とが含まれる。
【００２５】
また、ＲＩＰ装置２０には、測色計３６が接続されている。測色計３６は、所定の測色操作に応じて、測定対象物から色値を取得する。ここで色値とは、三刺激値ＸＹＺ、均等色空間の座標値Ｌ＊ａ＊ｂ＊等のデバイス非依存データのみならず、波長に対する光学物理量の分布（以下、「分光データ」という。）が含まれる。分光データとして、例えば、分光放射分布、分光感度分布、分光反射率又は分光透過率等が挙げられる。
【００２６】
校正機２４は、ＲＩＰ装置２０から供給された印刷データに基づいてプルーフ２２を印刷する。校正機２４として、ＤＤＣＰ（Direct Digital Color Proofing）、インクジェットカラープルーファ、低解像度のカラーレーザプリンタ（電子写真方式）又はインクジェットプリンタ等を用いてもよい。
【００２７】
オフセット印刷機３２は、刷版２６及び図示しない中間転写体を介して、インキ（色材）を用紙３８（出力媒体）上に転移させることで、印刷物３０を形成する。なお、オフセット印刷機３２に代替して、ダイレクト印刷のためのデジタル印刷機を設けてもよい。デジタル印刷機としては、インクジェットカラープルーファやカラーレーザプリンタ（電子写真方式）等を用いてもよい。これらの印刷機は、出力媒体に色材を転移させて印刷する点で共通している。
【００２８】
図２は、図１に示すＲＩＰ装置２０の電気的なブロック図である。
【００２９】
ＲＩＰ装置２０は、制御部４０と、通信Ｉ／Ｆ４２と、表示制御部４４と、表示部４６と、入力部４８と、入力Ｉ／Ｆ５０と、印刷Ｉ／Ｆ５２と、メモリ５４とを備える。
【００３０】
通信Ｉ／Ｆ４２は、外部装置からの電気信号を送受信するインターフェースである。例えば、サーバ装置１６（図１参照）内で管理・保存された校正データ、製版データ、印刷条件データベース、ＩＣＣプロファイル等の各種情報を取得可能である。
【００３１】
表示制御部４４は、制御部４０の制御に従って、表示部４６を駆動制御する制御回路である。表示制御部４４が、図示しないＩ／Ｆを介して、表示制御信号を表示部４６に出力することで、表示部４６が駆動する。これにより、表示部４６は、ウィンドウＷ１（図５参照）、Ｗ２（図６等参照）を含む各種画像を表示することができる。
【００３２】
入力Ｉ／Ｆ５０は、測色データとしての電気信号を受信するインターフェースである。これにより、ＲＩＰ装置２０は、測色計３６を介して、測定対象物（例えば、用紙３８）の色値を取得できる。
【００３３】
印刷Ｉ／Ｆ５２は、印刷データとしての電気信号を送信するインターフェースである。これにより、校正機２４は、所望のプルーフ２２を印刷することができる。
【００３４】
メモリ５４は、制御部４０が各構成要素を制御するのに必要なプログラム及びデータ等を記憶している。メモリ５４は、不揮発性のメモリ、ハードディスク等の記録媒体であってよい。
【００３５】
制御部４０は、ＣＰＵ（Central Processing Unit）等のプロセッサによって構成されている。制御部４０は、メモリ５４に格納されたプログラムを読み出し実行することで、印刷条件設定部５６、表示データ作成部５８、印刷条件検索部６０、及びラスタライズ処理部６２の各機能を実現可能である。
【００３６】
印刷条件設定部５６は、印刷ジョブに適した印刷条件の各条件項目をそれぞれ設定する。具体的には、印刷条件設定部５６は、用紙３８に関する色情報を取得する色情報取得部６４と、所定の集約規則に従って印刷条件にグループ属性を付与するグループ属性付与部６６と、印刷条件が備える各条件項目の内容を設定・更新する条件設定部６８とを備える。
【００３７】
表示データ作成部５８は、登録画面８０（図５参照）、設定画面１００（図６等参照）等を作成する画面作成部７０と、複数の印刷条件を一覧表示するための画像（以下、一覧画像という）を作成する一覧画像作成部７２とを備える。
【００３８】
印刷条件検索部６０は、印刷条件データベースに対する印刷条件の検索結果を取得する。例えば、印刷条件検索部６０は、サーバ装置１６側に問い合わせ、所望の検索条件に合致した印刷条件を少なくとも１つ取得する。
【００３９】
ラスタライズ処理部６２は、校正データ（校了データを含む）に対し、ラスタライズ処理を施す。このラスタライズ処理には、ＰＤＬ（Page Description Language）形式からラスタ形式に変換するデータ形式変換処理と、ＩＣＣプロファイルを用いたカラーマッチング処理とが含まれる。
【００４０】
入力部４８は、マウス、トラックボール、キーボード等の種々の入力デバイスで構成される。入力部４８は、色材の転移媒体に関する情報（以下、媒体情報という）を入力する媒体情報入力部７４、一覧画像１０８等（図６等参照）の表示形態を指示する表示形態指示部７６、及び印刷条件の各種設定を指示する設定指示部７８として機能する。
【００４１】
本実施の形態に係る印刷条件設定装置としてのＲＩＰ装置２０は、以上のように構成される。続いて、ＲＩＰ装置２０の動作について図３のフローチャートを参照しながら詳細に説明する。
【００４２】
動作の説明に先立ち、印刷条件データベースについて説明する。なお、本明細書の記載において、「印刷条件」とは、印刷に関する２以上の条件項目を組み合わせた複合的条件を意味する点に留意する。
【００４３】
図４は、印刷条件データベースの一覧表を示す概略説明図である。ここでは、複数の印刷条件がファイル形式でそれぞれ格納されているとする。各ファイル名「印刷条件１」〜「印刷条件６」（ファイル拡張子の表記を省略する。）に対して、２以上の条件項目がそれぞれ紐付けられている。本図例では、条件項目として、ファイル名の他、印刷機名、用紙種別、用紙サイズ、版サイズ、色版、綴じ方法、ターゲット（ターゲットプロファイルの種別）、顧客名、ジョブ種別、利用回数、最終利用日が列挙されている。条件項目には、印刷機名、色版、プロファイル等のように印刷処理に直接的に関与するデータのみならず、これらのデータに付随するデータ（いわゆるメタデータ）が含まれてもよい。
【００４４】
なお、印刷の際の色変換条件に関する条件項目を「色変換条件項目」と称する場合がある。色変換条件項目として、例えば、プロファイル（例えば、ターゲットプロファイル、印刷プロファイル、デバイスリンクプロファイル）、色変換テーブル（例えば、ドットゲインカーブ）、色版等が挙げられる。
【００４５】
また、色材の転移媒体に関する条件項目を「媒体条件項目」と称する場合がある。媒体条件項目として、例えば、用紙３８の種別、メーカ、銘柄、製品名、ロット番号、サイズ等が挙げられる。また、オフセット印刷機３２等のように刷版２６を必要とする印刷形態では、媒体条件項目として、例えば、刷版２６のメーカ、製品名、ロット番号、サイズ、網点の種別等もさらに含まれる。
【００４６】
図３のステップＳ１において、印刷条件設定部５６は、ユーザとしての作業者（ステップＳ１では「登録者」という。）の操作に応じて、新たに作成・登録しようとする印刷条件に関する各種情報をＲＩＰ装置２０側に入力する。
【００４７】
先ず、作成を開始する旨の指示に応じて、画面作成部７０は、登録画面８０の表示データを作成した後、該表示データを表示制御部４４に供給する。そして、表示制御部４４は、ウィンドウＷ１（登録画面８０を含む。）を表示部４６に表示させる。
【００４８】
図５に示すように、登録画面８０には、左上から順に、２つのプルダウンメニュー８２、８３、テキストボックス８４、［測色］と表記されたボタン８６、２つのプルダウンメニュー８８、８９、テキストボックス９０、ボタン群９２がそれぞれ配置されている。ここで、プルダウンメニュー８２、８３、８８、８９、及びテキストボックス８４、９０は、媒体情報入力部７４（図２参照）としての機能を担う。また、ボタン群９２は、設定指示部７８（同図参照）としての機能を担う。
【００４９】
登録者は、印刷条件を新たに作成するため、登録画面８０を介して、少なくとも１つの条件項目を入力する。登録者による所定操作に応じて、例えば、用紙３８の種別として「アート紙」（プルダウンメニュー８２）、用紙３８のメーカとして「Ｍ１社」（プルダウンメニュー８３）、刷版２６上に形成される網点の種別として「ＡＭ網」（プルダウンメニュー８８）、刷版２６のメーカとして「Ｄ１社」（プルダウンメニュー８９）、その他の備考（テキストボックス８４、９０）がそれぞれ入力されたとする。
【００５０】
ボタン群９２（［作成］ボタン）のクリック操作に応じて、印刷条件設定部５６は、用紙３８又は刷版２６に関する媒体条件項目に、入力された内容がそれぞれ設定された印刷条件を新たに作成する。そして、ＲＩＰ装置２０は、通信Ｉ／Ｆ４２を介して、この印刷条件をサーバ装置１６側に送信する。そうすると、この印刷条件は、サーバ装置１６内に構築された印刷条件データベースに追加・登録される。なお、登録時点では、この印刷条件のうちの色変換条件項目には何も設定されていないとする。
【００５１】
ところで、場面が変わって、登録者と同一の又は異なる作業者は、印刷条件データベースの中から、実行予定の印刷ジョブに適した印刷条件を取得する。印刷条件検索部６０は、作業者による入力部４８の操作に応じて、入力された検索条件に合致する複数の印刷条件を取得する。
【００５２】
ステップＳ２において、グループ属性付与部６６は、所定の印刷条件にグループ属性を付与する。ここで、グループ属性付与部６６は、媒体条件項目の内容を所定の集約規則に従ってグループ化する。この集約条件として任意の条件を設定してもよいが、印刷における色再現特性の近似度に応じてグループ化してもよい。本実施の形態では、用紙３８の種別が同じであれば、印刷物３０上での色再現特性が近似するとみなす。同様に、刷版２６上に形成される網点の種別が同じであれば、印刷物３０上での色再現特性が近似するとみなす。
【００５３】
この場合、グループ属性付与部６６は、用紙３８の種別がアート紙であるすべての印刷条件に対して「アート紙」のグループ属性を付与する。同様に、グループ属性付与部６６は、用紙３８の種別がコート紙であるすべての印刷条件に対して「コート紙」のグループ属性を付与する。
【００５４】
また、グループ属性付与部６６は、網点の種別がＡＭ網であるすべての印刷条件に対して「ＡＭ網」のグループ属性を付与する。同様に、グループ属性付与部６６は、網点の種別がＦＭ網であるすべての印刷条件に対して「ＦＭ網」のグループ属性を付与する。
【００５５】
ステップＳ３において、表示制御部４４は、印刷条件の一覧画像１０８（図６参照）を表示部４６に表示させる。具体的には、画面作成部７０は、設定画面１００の表示データを作成した後、該表示データを表示制御部４４に供給する。そうすると、表示制御部４４は、ウィンドウＷ１と異なる別のウィンドウＷ２（設定画面１００を含む。）を表示部４６に表示させる。
【００５６】
図６に示すように、設定画面１００には、上から順に、２つのプルダウンメニュー１０２、１０４と、［条件参照］と表記されたボタン１０６と、複数の印刷条件に関する一覧情報を示す一覧画像１０８と、ボタン群１１０とがそれぞれ配置されている。ここで、プルダウンメニュー１０２、１０４は、表示形態指示部７６（図２参照）としての機能を担う。また、［条件参照］ボタン１０６、ボタン群１１０は、設定指示部７８（同図参照）としての機能を担う。
【００５７】
各プルダウンメニュー１０２、１０４は、「詳細表示」又は「種別表示」を選択的に入力可能に設けられている。図６例では、プルダウンメニュー１０２、１０４には、いずれも「詳細表示」が入力されている。
【００５８】
一覧画像１０８上の各行、第１行１２１、第２行１２２、第３行１２３、第４行１２４、第５行１２５、第６行１２６には、異なる印刷条件が１つずつ表示されている。そして、各印刷条件に対して３種類の条件項目の内容（属性）がそれぞれ表記されている。具体的には、用紙３８を示す小欄１１２ａ、刷版２６に形成される網点を示す小欄１１２ｂ、及び色変換条件の設定状態を示す小欄１１２ｃがそれぞれ設けられている。なお、本図例では、所定のクリック操作により、第１行１２１（ハッチングを付した領域）が着色表示されている。これは、６つの印刷条件のうち、１番目の印刷条件が現在選択されている旨を表す。
【００５９】
ところで、用紙３８のメーカ、製品名等が異なっていても、その種別が同一であれば、印刷物３０上で略同等の色再現特性が得られる場合がある。このとき、作業者は、複数種の用紙３８に対して、同一の色変換条件をそれぞれ設定する必要が生じる。そこで、本実施の形態に係る設定方法では、上記したグループ属性毎に色変換条件を一括して設定又はその解除を行うことで、効率的な作業を行うことができる。以下、その具体的方法について詳細に説明する。
【００６０】
プルダウンメニュー１０２の選択操作、「詳細表示」から「種別表示」への変更に応じて、一覧画像作成部７２は、ステップＳ２で付与されたグループ属性を参照して新たな一覧画像１０８ａを作成する。具体的には、一覧画像作成部７２は、一覧画像１０８（図６参照）のうち小欄１１２ａの内容を一部変更する。そして、画面作成部７０は、設定画面１００の表示データ（一覧画像１０８ａを含む）を作成した後、該表示データを表示制御部４４に供給する。
【００６１】
そうすると、プルダウンメニュー１０２の操作に追従して、一覧画像１０８の表示形態が即時に変更される。図７の設定画面１００の中央部には、図６の一覧画像１０８に代替して一覧画像１０８ａが配置されている。本図が示すように、小欄１１２ａの所定箇所（第１行１３１、第２行１３２、第３行１３３）には、グループ属性「アート紙」が新たに表記される。また、小欄１１２ａの所定箇所（第４行１３４、第５行１３５、第６行１３６）には、グループ属性「コート紙」が新たに表記される。なお、小欄１１２ａの上部（「アート紙」の文字付近）をクリックすることで、第１行１３１〜第３行１３３（ハッチングが付された領域）を一括して選択可能である。
【００６２】
そして、プルダウンメニュー１０４の選択操作、「詳細表示」から「種別表示」への変更に応じて、一覧画像作成部７２は、ステップＳ２で付与されたグループ属性を参照して新たな一覧画像１０８ｂを作成する。具体的には、一覧画像作成部７２は、一覧画像１０８ａ（図７参照）のうち小欄１１２ａ、１１２ｂの内容を一部変更する。そして、画面作成部７０は、設定画面１００の表示データ（一覧画像１０８ｂを含む）を作成した後、該表示データを表示制御部４４に供給する。
【００６３】
そうすると、プルダウンメニュー１０４の操作に追従して、一覧画像１０８ａの表示形態が即時に変更される。図８の設定画面１００の中央部には、図７の一覧画像１０８ａに代替して一覧画像１０８ｂが配置されている。本図が示すように、新たな第１行１４１には、図７に示す第１行１３１及び第３行１３３が集約されてなるグループ属性「アート紙」且つ「ＡＭ網」が新たに表記される。また、新たな第２行１４２には、図７に示す第２行１３２に対応するグループ属性「アート紙」且つ「ＦＭ網」が新たに表記される。さらに、新たな第３行１４３には、図７に示す第４行１３４及び第６行１３６が集約されてなるグループ属性「コート紙」且つ「ＡＭ網」が新たに表記される。さらに、新たな第４行１４４には、図７に示す第５行１３５に対応するグループ属性「コート紙」且つ「ＦＭ網」が新たに表記される。
【００６４】
このように、プルダウンメニュー１０２、１０４の操作に応じて、一覧画像１０８等の表示形態を変更することができる。これにより、作業者は、複数の印刷条件を印刷条件単位（図６の一覧画像１０８）で表示させるか、グループ単位（図８の一覧画像１０８ｂ）で表示させるかを任意に選択できる。
【００６５】
ステップＳ４において、印刷条件設定部５６は、設定変更を確定する指示があったか否かを判別する。具体的には、印刷条件設定部５６は、設定画面１００（図６〜図８参照）上のボタン群１１０のクリック操作を受け付けたか否かで判別する。指示がなかったと判別された場合、印刷条件設定部５６は、色変換条件を変更する指示があったか否かをさらに判別する。具体的には、印刷条件設定部５６は、設定画面１００（図６〜図８参照）上の［条件参照］ボタン１０６のクリックとトリガとする所定操作を受け付けたか否かで判別する。
【００６６】
例えば、図８に示す表示形態の下、［条件参照］ボタン１０６のクリック等の所定操作に応じて、設定指示部７８は、グループ単位の印刷条件に対して、所望の色変換条件を設定する旨を指示する。例えば、第１行１４１（「アート紙」且つ「ＡＭ網」）及び第４行１４４（「コート紙」且つ「ＦＭ網」）のグループに対し、デバイスリンクプロファイルの種類等の色変換条件項目をそれぞれ入力したとする。ここで、設定指示部７８は、グループ単位の印刷条件に対して、既に設定されていた色変換条件を解除する旨を指示してもよい。
【００６７】
ステップＳ６において、表示制御部４４は、一覧画像１０８ｂ（図８参照）を更新させることで、現在の設定状態を表す一覧画像１０８ｃを表示部４６に表示させる。更新に先立ち、一覧画像作成部７２は、ステップＳ５での変更指示を反映させた新たな一覧画像１０８ｃを作成する。具体的には、一覧画像作成部７２は、一覧画像１０８ｂ（図８参照）のうち小欄１１２ｃの内容を一部変更する。そして、画面作成部７０は、設定画面１００の表示データ（一覧画像１０８ｃを含む）を作成した後、該表示データを表示制御部４４に供給する。
【００６８】
図９の設定画面１００の中央部には、図８の一覧画像１０８ｂに代替して一覧画像１０８ｃが配置されている。本図が示すように、小欄１１２ｃの所定箇所（第１行１５１、第４行１５４）には、それぞれ「変更」が新たに表記される。
【００６９】
その後、ステップＳ４において、ボタン群１１０（［設定］ボタン）のクリックを受け付け、設定変更を確定する指示があったと判別された場合、次のステップ（Ｓ７）に進む。
【００７０】
ステップＳ７において、条件設定部６８は、変更の指定がなされた印刷条件に対して、色変換条件項目の設定又はその解除をする。例えば、一覧画像１０８（図６参照）のフォーム上で指示された場合、条件設定部６８は、色変換条件項目の内容を印刷条件単位で設定／解除する。一方、一覧画像１０８ｃ（図９参照）のフォーム上で指示された場合、条件設定部６８は、色変換条件項目の内容をグループ単位で設定／解除する。そして、ＲＩＰ装置２０は、通信Ｉ／Ｆ４２を介して、設定変更された印刷条件をサーバ装置１６側に送信する。そうすると、この印刷条件は、サーバ装置１６内に構築された印刷条件データベースに更新・登録される。
【００７１】
図１０に示すように、ウィンドウＷ２を再度表示させると、一覧画像１０８ｄのうちの小欄１１２ｃ（第１行１６１、第３行１６３、第４行１６４、第６行１６６）には、「未設定」（図６参照）に代替して、「設定済」が新たに表示される。このようにして、作業者は、複数種の用紙３８に対して同一の色変換条件を一括して設定又はその解除を行うことができる。
【００７２】
以上のように、色材の転移媒体（刷版２６、用紙３８）に関する条件項目である媒体条件項目の内容を所定の集約規則に従ってグループ化し、印刷条件にグループ属性を付与するグループ属性付与部６６と、グループ属性付与部６６により付与されたグループ属性を備える複数の印刷条件に対して、印刷の際の色変換条件に関する条件項目である色変換条件項目を一括して設定又はその解除を行う条件設定部６８とを設けたので、媒体条件項目及び色変換条件項目を効率的に対応付け可能になり、膨大な数の印刷条件に対して色変換条件を簡便に設定できる。
【００７３】
ところで、上記したグループ化方法では、各条件項目の内容の一致性（「コート紙」等の用語を含むか否か）でグループ属性を分類したが、これに限られず種々の方法を採用し得る。例えば、［測色］ボタン８６（図５参照）のクリック操作及び測色計３６による測色動作に応じて、色情報取得部６４は、用紙３８の色情報（ここでは、Ｌ＊ａ＊ｂ＊値）を取得する。そして、グループ属性付与部６６は、用紙３８の色情報に基づいてグループ属性を付与してもよい。
【００７４】
グループ属性付与部６６は、図１１に示す色空間（ａ＊ｂ＊平面）を５つの領域に分類し、その属否に応じてグループ属性を決定する。例えば、｛（ａ＊）２＋（ｂ＊）２≦Δ２｝を満たす場合、「Ｗｈｉｔｅ」（白色）の属性が付与される。一方、｛（ａ＊）２＋（ｂ＊）２＞Δ２｝を満たす場合、４つのうちのいずれかの属性が付与される。具体的には、（ｂ＊≧−ａ＊）且つ（ｂ＊＜ａ＊）を満たす場合は「Ｒｅｄ」（赤色）、（ｂ＊≧ａ＊）且つ（ｂ＊＞−ａ＊）を満たす場合は「Ｙｅｌｌｏｗ」（黄色）、（ｂ＊≦−ａ＊）且つ（ｂ＊＜ａ＊）を満たす場合は「Ｇｒｅｅｎ」（緑色）、（ｂ＊≦ａ＊）且つ（ｂ＊＜−ａ＊）を満たす場合は「Ｂｌｕｅ」（青色）の属性がそれぞれ付与される。
【００７５】
このように、用紙３８の色情報に基づいて媒体条件項目の内容を分類することで、印刷物３０上での色再現特性をさらに考慮することができる。あるいは、「アート紙」の属性を結合させた新たな属性「アート紙（Ｗｈｉｔｅ）」等を設けてもよい。
【００７６】
なお、この発明は、上述した実施形態に限定されるものではなく、この発明の主旨を逸脱しない範囲で自由に変更できることは勿論である。
【符号の説明】
【００７７】
１０…印刷物生産システム                  ２０…ＲＩＰ装置
２４…校正機                              ２６…刷版
３０…印刷物                              ３２…オフセット印刷機
３６…測色計                              ３８…用紙
４０…制御部                              ４６…表示部
４８…入力部                              ５４…メモリ
５６…印刷条件設定部                      ５８…表示データ作成部
６４…色条件取得部                        ６６…グループ属性付与部
６８…条件設定部                          ７２…一覧画像作成部
８０…登録画面                            １００…設定画面
１０８（ａ〜ｄ）…一覧画像                Ｗ１、Ｗ２‥ウィンドウ
【図１】
0005658192.tif 000002
【図２】
0005658192.tif 000003
【図３】
0005658192.tif 000004
【図４】
0005658192.tif 000005
【図５】
0005658192.tif 000006
【図６】
0005658192.tif 000007
【図７】
0005658192.tif 000008
【図８】
0005658192.tif 000009
【図９】
0005658192.tif 000010
【図１０】
0005658192.tif 000011
【図１１】
0005658192.tif 000012